(57)【要約】【課題】開閉できる網戸を有すると共に、見込み寸法が小さな上げ下げ窓とする。【解決手段】窓枠１の室外側寄り上部に外障子２を取付けると共に、その窓枠１の室内側寄りに内障子３を上下動自在に取付け、前記窓枠１の室外側寄り下部に網戸４を横軸を支点として開き状態と閉じ状態に亘って回転可能に取付けて開閉できる網戸とし、この網戸４は外障子２の見込み内に位置し、この網戸４によって窓枠１の見込み寸法が大きくならないようにすることで、見込み寸法が小さな上げ下げ窓とする。【選択図】図６
2010209539.tif 000002
【特許請求の範囲】
【請求項１】
窓枠の室外側寄り上部に外障子を取付け、前記窓枠の室内側寄りに内障子を上下動自在に取付けた上げ下げ窓であって、
前記窓枠の室外側寄り下部に網戸を、横軸を支点とし、閉じ状態と開き状態とに亘って回転可能に取付け、
前記網戸が閉じ状態のときに、該網戸は外障子の下方で、外障子の見込み内に位置し、かつ前記網戸の上横部、下横部、縦部が、外障子の下横部、窓枠の下枠における室外側寄り部分、窓枠の縦枠における室外側寄り下部分にそれぞれ接する縦向き姿勢となるようにし、
前記網戸が開き状態のときには、網戸の上横部が窓枠よりも室外側に突出し、下横部が窓枠よりも室内側に突出する横向き姿勢となるようにしたことを特徴とする上げ下げ窓。
【請求項２】
前記網戸の回転中心を、内障子を上方に移動して窓枠の下部を開放したときの内障子の下横部よりも下方位置とした請求項２記載の上げ下げ窓。
【請求項３】
前記窓枠における前記外障子を取付ける室外側寄り部分の開口寸法を、内障子を取付ける室内側寄り部分の開口寸法よりも大きくすることで、前記外障子の見付け寸法を内障子の見付け寸法よりも大きくし、
前記網戸の見付け寸法が、前記窓枠の室内側寄り部分の開口寸法よりも小さく、当該網戸が窓枠の室内側寄り部分の開口を挿通できるようにし、
前記窓枠の左右の縦枠における室外側寄り部分の下部に、縦アタッチメントを取付け、
前記網戸が閉じ状態のときに、その網戸の縦部が前記縦アタッチメントに接するようにした請求項１又は２記載の上げ下げ窓。
【請求項４】
前記網戸の左右縦部における上下中間部に横軸をそれぞれ取付け、
前記左右の縦枠における室外側寄り下部分には、室内側に開口した横軸ガイド凹部と、室内側に向かう横軸ガイド面が長手方向に連続してそれぞれ設けられ、
前記横軸ガイド凹部を室内側に開口した連通部で、前記横軸ガイド面に連続し、
前記左右の縦枠における前記横軸ガイド凹部内に、前記横軸が上方から下方に向けて移動することで回転可能に嵌まり合う形状の軸受をそれぞれ取付け、
前記軸受は、前記開口部よりも下方に位置するようにした請求項１〜３いずれか１項記載の上げ下げ窓。
【請求項５】
前記軸受は、取付部と支承部を備え、その支承部は、上方に開口したほぼＣ字形状で、かつ離隔する方向に弾性変形可能な一対の支承片を有し、
この一対の支承片で横軸を回転可能で、かつ上下に動かないように支承する構成とした請求項４記載の上げ下げ窓。
【請求項６】
前記横軸は、小径軸部と、この小径軸部よりも突出した大径軸部を有し、
前記横軸ガイド凹部の開口部の面外方向の寸法は、前記小径軸部の径よりも大きく、かつ大径軸部の径よりも小さく、その大径軸部が横軸ガイド凹部内に位置するとともに前記支承片にて支承され、小径軸部が開口部から突出するようにし、
前記連通部の上下寸法は、前記大径軸部の径よりも大きい請求項４又は５記載の上げ下げ窓。
【発明の詳細な説明】
【技術分野】
【０００１】
本発明は、網戸を備えた上げ下げ窓に関する。
【背景技術】
【０００２】
従来、上げ下げ窓としては、窓枠の室外側寄りに外障子を取付けると共に、その窓枠の室内側寄りに内障子を取付けたものが知られている。
前述した上げ下げ窓においては、内障子を上方に移動して窓枠の下半分を開放したときに、虫などが室内に入り込まないようにするために網戸を取付けることがあるが、その網戸が固定であると内障子を上方に移動して窓枠の下半分を開放した場合に、窓の外側に置いた植物に水をかけることができない。
このようなことから、窓枠に網戸を開閉自在に取付けた上げ下げ窓が提案されている。
例えば、特許文献１に開示したように、窓枠の室外側寄りに外障子を取付けると共に、窓枠の室内側寄りに内障子を取付け、前記窓枠における外障子よりも室外側部に網戸を取付け、この網戸を上下に移動することで開閉自在とした網戸を備えた上げ下げ窓が提案されている。
【先行技術文献】
【特許文献】
【０００３】
【特許文献１】実公平４−２１４３６号公報
【発明の概要】
【発明が解決しようとする課題】
【０００４】
前述した従来の上げ下げ窓は、網戸を上方に移動して開放するので、その網戸が外障子と干渉しないようにするために、網戸は外障子よりも室外側に位置する。
このために、窓枠の室内外側方向の寸法、つまり見込み寸法が網戸の取付けスペース分だけ大きく、見込み寸法の大きな上げ下げ窓となってしまう。
【０００５】
本発明の目的は、開閉自在な網戸を備えていると共に、見込み寸法が小さい上げ下げ窓とすることである。
【課題を解決するための手段】
【０００６】
本発明は、窓枠の室外側寄り上部に外障子を取付け、前記窓枠の室内側寄りに内障子を上下動自在に取付けた上げ下げ窓であって、前記窓枠の室外側寄り下部に網戸を、横軸を支点とし、閉じ状態と開き状態とに亘って回転可能に取付け、前記網戸が閉じ状態のときに、該網戸は外障子の下方で、外障子の見込み内に位置し、かつ前記網戸の上横部、下横部、縦部が、外障子の下横部、窓枠の下枠における室外側寄り部分、窓枠の縦枠における室外側寄り下部分にそれぞれ接する縦向き姿勢となるようにし、前記網戸が開き状態のときには、網戸の上横部が窓枠よりも室外側に突出し、下横部が窓枠よりも室内側に突出する横向き姿勢となるようにしたことを特徴とする上げ下げ窓である。
【０００７】
本発明においては、前記網戸の回転中心を、内障子を上方に移動して窓枠の下部を開放したときの内障子の下横部よりも下方位置とすることができる。
このようにすれば、内障子を上方に移動して網戸を開き状態としたときに、その網戸が略水平となるまで回転しても内障子の下横部と網戸が干渉しないようにできる。
【０００８】
本発明においては、前記窓枠における前記外障子を取付ける室外側寄り部分の開口寸法を、内障子を取付ける室内側寄り部分の開口寸法よりも大きくすることで、前記外障子の見付け寸法を内障子の見付け寸法よりも大きくし、前記網戸の見付け寸法が、前記窓枠の室内側寄り部分の開口寸法よりも小さく、当該網戸が窓枠の室内側寄り部分の開口を挿通できるようにし、前記窓枠の左右の縦枠における室外側寄り部分の下部に、縦アタッチメントを取付け、前記網戸が閉じ状態のときに、その網戸の縦部が前記縦アタッチメントに接するようにできる。
このようにすれば、外障子の見付け寸法よりも網戸の見付け寸法が小さく、室外から見たときに網戸が目立つことがないので、外観の見栄えが良い。
しかも、縦枠の室外側寄り部分の下部に縦アタッチメントを取付け、この縦アタッチメントに網戸の縦部を接するようにしたので、縦枠を切断加工等することなく窓枠の室外側寄り開口に、見付け寸法の大きな外障子、見付け寸法の小さな網戸を取付けできる。
【０００９】
本発明においては、前記網戸の左右縦部における上下中間部に横軸をそれぞれ取付け、前記左右の縦枠における室外側寄り下部分には、室内側に開口した横軸ガイド凹部と、室内側に向かう横軸ガイド面が長手方向に連続してそれぞれ設けられ、前記横軸ガイド凹部を室内側に開口した連通部で、前記横軸ガイド面に連続し、前記左右の縦枠における前記横軸ガイド凹部内に、前記横軸が上方から下方に向けて移動することで回転可能に嵌まり合う形状の軸受をそれぞれ取付け、前記軸受は、前記開口部よりも下方に位置するようにできる。
このようにすれば、網戸に取付けた一対の横軸を窓枠の横軸ガイド面に沿って移動することで、その横軸を連通部を通して横軸ガイド凹部内に挿入し、その横軸を横軸ガイド凹部に沿って下方に移動することで軸受に回転可能に嵌合することができるから、網戸を窓枠に回転可能に取付ける作業が簡単である。
【００１０】
本発明においては、前記軸受は、取付部と支承部を備え、その支承部は、上方に開口したほぼＣ字形状で、かつ離隔する方向に弾性変形可能な一対の支承片を有し、この一対の支承片で横軸を回転可能で、かつ上下に動かないように支承する構成とすることができる。
このようにすれば、網戸を回転するときに横軸が軸受に対して上下方向に動くことがなく、網戸をスムーズに回転できる。
【００１１】
本発明においては、前記横軸は、小径軸部と、この小径軸部よりも突出した大径軸部を有し、前記横軸ガイド凹部の開口部の面外方向の寸法は、前記小径軸部の径よりも大きく、かつ大径軸部の径よりも小さく、その大径軸部が横軸ガイド凹部内に位置すると共に、前記支承片にて支承され、小径軸部が開口部から突出するようにし、前記連通部の上下寸法は、前記大径軸部の径よりも大きいようにできる。
このようにすれば、横軸の大径軸部を横軸ガイド面に沿って移動することで、その大径軸部が連通部を通って横軸ガイド凹部内に挿入し、小径軸部が開口部から突出するので、横軸を横軸ガイド凹部に沿って下方に移動する際に横軸が外れることがない。
【発明の効果】
【００１２】
本発明によれば、内障子を上方に移動して窓枠の下部を開放し、網戸を横向き姿勢とすることで網戸を開き状態にできるとともに、縦向き姿勢とすることで網戸を閉じ状態にできる。
また、網戸が閉じ状態のときには、その網戸は外障子の見込み内に位置するので、窓枠の見込み寸法が網戸のために大きくならない。
しがたって、開閉自在な網戸を備えていると共に、見込み寸法が小さい上げ下げ窓とすることができる。
【図面の簡単な説明】
【００１３】
【図１】本発明の実施の形態を示す上げ下げ窓の概略内観図である。
【図２】本発明の実施の形態を示す上げ下げ窓の概略外観図である。
【図３】図１のＡ−Ａ詳細拡大断面図である。
【図４】図１のＢ−Ｂ詳細拡大断面図である。
【図５】図１のＣ−Ｃ詳細拡大断面図である。
【図６】網戸を開き状態としたときの上げ下げ窓の斜視図である。
【図７】窓枠に網戸を取付ける動作説明用の斜視図である。
【図８】図５の横軸、軸受部分の拡大図である。
【図９】図８のＤ−Ｄ断面図である。
【発明を実施するための形態】
【００１４】
図１と図２に示すように、窓枠１の室外側寄り上部（例えば、上半分）に外障子２を取付けると共に、前記窓枠１の室内側寄りに内障子３を上下移動自在に取付けた上げ下げ窓としている。
前記窓枠１は、上枠１０と下枠１１と左右の縦枠１２を矩形状に連結してある。
前記外障子２は、上框２０と下框２１と左右の縦框２２を矩形状に連結し、その内部にガラス等の面材２３が装着してある。
前記内障子３は、上框３０と下框３１と左右の縦框３２を矩形状に連結し、その内部にガラス等の面材３３が装着してある。
【００１５】
図２に示すように、前記窓枠１の室外側寄り下部（例えば、下半分）に網戸４が横軸を支点とし、閉じ状態と開き状態とに亘って回転可能に取付けてある。
前記網戸４は、網戸上框４０と網戸下框４１と左右の網戸縦框４２を矩形状に連結し、その内部に防虫網４３が張設してある。
前記網戸４が閉じた状態のときに、その網戸４は外障子２の下方で、外障子２の見込み内に位置して網戸４が外障子２よりも室外側に張り出すことがないようにしてある。
【００１６】
前記網戸４が閉じた状態のときに、網戸４の上横部（例えば、網戸上框４０）が外障子２の下横部（例えば、下框２１）に接し、網戸４の下横部（例えば、網戸下框４１）が窓枠１の下枠１１における室外側寄り部分１１ａに接し、網戸４の縦部（例えば、網戸縦框４２）が窓枠１の縦枠１２の室外側寄り部分における外障子２の下框２１と下枠１１との間の部分、つまり縦枠１２における室外側寄り下部分１２ａに接する縦向き姿勢となる。
前記網戸４が開き状態のときには、図２に仮想線で示すように網戸４は横向き姿勢で、網戸４の上横部が窓枠１よりも室外側に突出し、網戸４の下横部が窓枠１よりも室内側に突出する。ここで横向き姿勢とは、網戸４が水平方向となる姿勢に限らず、斜めとなる姿勢であっても良い。つまり、網戸４が垂直方向となる姿勢以外の姿勢のことをさす。
【００１７】
このようであるから、内障子３を上方に移動して窓枠１の下部（例えば、下半分）を開放した状態で、網戸４を横軸を支点として回転することで網戸４を開閉することができる。
また、網戸４が閉じ状態のときには、その網戸４が外障子２の見込み内に位置して外障子２よりも室外側に張り出すことがないので、窓枠１の見込み寸法が網戸４のために大きくならないから、上げ下げ窓の見込み寸法を小さくできる。
【００１８】
この実施の形態では、縦枠１２の室内側寄り部分の見付け寸法が室外側寄り部分の見付け寸法よりも大きく、左右の縦枠１２の室内側寄り部分間の寸法（つまり、窓枠１の室内側寄り部分の開口寸法）Ｈ１が、室外側寄り部分間の寸法（つまり、窓枠１の室外側寄り部分の開口寸法）Ｈ２よりも小さく、内障子３の見付け寸法Ｌ１が外障子２の見付け寸法Ｌ２よりも小さい。
前記網戸４の見付け寸法Ｌ３を前記左右の縦枠１２の室内側寄り部分間の寸法Ｈ１よりも小さくし、網戸４を窓枠１の左右の縦枠１２間に室内側から挿入できると共に、網戸４を開放したときに、その網戸４の下部が窓枠１の左右の縦枠１２間より室内側に突出できるようにしてある。
【００１９】
このために、窓枠１の左右の縦枠１２の室外側寄り部分と網戸４の左右の縦部（例えば、左右の網戸縦框４２）との間に隙間が生じるので、図２に示すように、縦枠１２の室外側寄り部分の下部、例えば、外障子２の下框２１と窓枠１の下枠１１との間に左右の縦アタッチメント１３を取付け、この縦アタッチメント１３に左右の網戸縦框４２が接して隙間が生じないようにしている。
つまり、縦アタッチメント１３が前述の縦枠１２の室外側寄り下部分１２ａである。
【００２０】
このようであるから、網戸４の見付け寸法Ｌ３が外障子２の見付け寸法Ｌ２よりも小さいので、室外側から見たときに網戸４が目立つことがないので、外観の見栄えが良い。
すなわち、前述した従来の上げ下げ窓は、網戸は窓枠の左右の縦枠に沿って上下動自在に取付けられるので、その網戸の左右方向の寸法（つまり、見付け寸法）が外障子の見付け寸法と同一で、網戸の見付け寸法が大きく、室外側から見たときに網戸が著しく目立つので、外観の見栄えが悪い上げ下げ窓となってしまうが、この従来の上げ下げ窓に比べて実施の形態の方が外観の見栄えが良い。
【００２１】
また、縦枠１２の室外側寄り部分の見付け寸法を大きくして窓枠１の室外側寄り開口寸法を小さくすれば、縦アタッチメント１３を取付けせずに見付け寸法の小さな網戸４を隙間なく取付けできるが、この場合には、縦枠１２の室外側寄り部分の上半分を切断して除去することで、窓枠１の室外側寄り上部の開口寸法を大きくし、見付け寸法の大きな外障子を取付けることになる。
それに比べ、縦アタッチメント１３を取付け、その縦アタッチメント１３に網戸４の縦部を接するようにしたので、窓枠１の室外側寄り部分に、見付け寸法の大きな外障子２と見付け寸法の小さな網戸４を、縦枠１２を切断加工等することなく取付けできる。
【００２２】
なお、縦枠１２の室内側寄り部分、室外側寄り部分の見付け寸法を同一とすることで、窓枠１の左右の縦枠１２の室内側寄り部分間の寸法Ｈ１と室外側寄り部分間の寸法Ｈ２を同一とすると共に、網戸４の見付け寸法Ｌ３と内・外障子２，３の見付け寸法Ｌ１，Ｌ２と同一とすることができる。
この場合には、前述した左右の縦アタッチメント１３が不要である。
【００２３】
次に、各部の詳細を説明する。
前記窓枠１の縦枠１２は、図３、図４に示すように室内側寄り部分１２−１の見付け寸法が室外側寄り部分１２−２の見付け寸法よりも大きく、室内側寄り部分１２−１が室外側寄り部分１２−２よりも面内方向の内側に突出し、前述のように窓枠１の室内側寄り部分の開口寸法Ｈ１が、室外側寄り部分の開口寸法Ｈ２よりも小さい。
例えば、縦枠１２は、本体部１２ｂの面外方向における室内側と中間部に面内方向内側に向かう室内側内向部１２ｃ、中間内向部１２ｄを有し、その室内側内向部１２ｃと中間内向部１２ｄとの間に内向凹部１２ｅを形成して室内側寄り部分１２−１とし、前記中間内向部１２ｄよりも室外側寄りを室外側寄り部分１２−２としている。
【００２４】
前記左右の縦枠１２の室内側寄り部分１２−１間に内障子３が上下動自在に設けてある。
例えば、図４に示すように、縦枠１２の内向凹部１２ｅに設けたバランサー３５と縦框３２を連結してある。
このように、縦枠１２の室内側寄り部分１２−１に内向凹部１２ｅを設けて見付け寸法を大きくしたことで、内障子３を上下動自在に取付けるための部品を設けるスペースを確保できる。
【００２５】
図３に示すように、前記左右の縦枠１２の室外側寄り部分１２−２間における上部に外障子２の左右の縦框２２を連結して外障子２を動かないように取付ける。
【００２６】
図４と図５に示すように、前記左右の縦枠１２の室外側寄り部分１２−２における外障子２の下框２１と下枠１１との間に縦アタッチメント１３をそれぞれ取付けて前述の縦枠１２の室外側寄り下部分１２ａとする。
前記縦アタッチメント１３の面内方向の内側部は、中間内向部１２ｄの面内方向の内側部よりも面内方向の内側に突出している。つまり、前記縦アタッチメント１３の面内方向の内側部は、縦枠１２の室内側寄り部分１２−１の面内方向の内側部よりも面内方向の内側に突出している。
【００２７】
図５に示すように、外障子２の下框２１は窓枠１の上下中間部における室外側寄りに位置している。なお、上框２０は上枠１０に接している。
前記内障子３が閉じ位置のときには、内障子３の上框３０が外障子２の下框２１の室内側に位置し、内障子３の下框３１が下枠１１の室内側寄り部分１１−１に接し、窓枠１の下部(例えば、下半分）、つまり外障子２の下框２１と下枠１１との間を閉じる。
前記内障子３が開き位置のときには、下框３１が図５に仮想線で示す位置まで上方に移動し、その下框３１と下枠１１との間を開放する。
【００２８】
前記網戸４は前述のように外障子２の見込み内に位置する。
すなわち、網戸４の見込み寸法（室内側面４ａと室外側面４ｂとの間の寸法）は、外障子２の見込み寸法（室内側面２ａと室外側面２ｂとの間の寸法）よりも小さく、網戸４が外障子２の室内外側面２ａ，２ｂ間に位置し、網戸４が外障子２よりも室内側、室外側に張り出すことがないようにしてある。
前述の外障子２の室内側面２ａ、室外側面２ｂは下框２１の室内側面２１ａ、室外側面２１ｂである。
前述の網戸４の室内側面４ａ、室外側面４ｂは網戸縦框４２の室内側面４２ａ、室外側面４２ｂである。
【００２９】
前記網戸上框４０の室内側面４０ａが外障子２の下框２１の下面２１ｃに設けた下向片２１ｄに接し、網戸上框４０の室外側に装着した上横シール材４４が前記下框２１の下面２１ｃに接して下框２１と網戸上框４０との間をシールしている。
前記網戸下框４１は下枠１１の室外側寄り部分１１−２と対向し、その室外側に装着した下横シール材４５が下枠１１の室外側寄り部分１１−２に接して下枠１１と網戸下框４１との間をシールしている。
【００３０】
図５に示す下枠１１は、縦枠１２と同様に、その室内側寄り部分１１−１が室外側寄り部分１１−２よりも面内方向の内側に突出している。
例えば、下枠１１は、本体部１１ｂの面外方向における室外側と中間部に、面内方向内側に向かう室内側内向部１１ｃ、中間内向部１１ｄを有し、その室内側内向部１１ｃと中間内向部１１ｄとの間に内向凹部１１ｅを形成して室内側寄り部分１１−１とし、前記中間内向部１１ｄよりも室外側寄りを室外側寄り部分１１−２としてある。
つまり、この実施の形態では、上枠１０、下枠１１、縦枠１２が樹脂製で、それらの長手方向端部を４５度に切断して突き合わせ溶着して連結してあるので、下枠１１が上枠１１、縦枠１２と略同一断面形状としてある。
【００３１】
このようであるから、網戸下框４１を下枠１１の室外側寄り部分１１−２に接近すると、網戸４を回転して開閉するときに網戸下框４１が下枠１１の中間内向部１１ｄと干渉するので、下枠１１の室外側寄り部分１１−２に横アタッチメント１４を取付けて前述の室外側寄り部分１１ａとし、この横アタッチメント１４に網戸下框４１を接近すると共に、横アタッチメント１４の室外側上向片１４ａの室内側面に前記下横シール材４５を接するようにしてある。
【００３２】
次に、網戸４の取付けについて説明する。
図４と図５に示すように、網戸４の左右の縦部における上下中間部、例えば左右の網戸縦框４２の室内側面４２ａにおける上下中間部に横軸５が取付けてある。
前記左右の縦枠１２の室外側寄り下部分１２ａにおける上下中間部、例えば縦アタッチメント１３の上下中間部に軸受６が取付けてある。
この軸受６で前記横軸５を回転可能に支承することで、網戸４が横軸５を支点として回転可能に取付けてある。
【００３３】
前記横軸５、つまり網戸４の回転中心は開き状態の内障子３の下横部（下框３１）よりも下方に位置している。
これによって、図６に示すように、網戸４を縦向き姿勢の閉じ状態から横向き姿勢の開き状態に回転したときに網戸４と内障子３の下框３１が干渉しないようにできるので、網戸４はほぼ水平な姿勢まで回転できる。このとき、網戸４の網戸下框４１が窓枠１よりも室内側に突出し、網戸上框４０が窓枠１よりも室外側に突出する。
したがって、下枠１１と網戸４との間に上下寸法の大きな開放部を形成できるから、室内から室外の植物に水をかける作業等をやり易い。
なお、図６においては面材２３，３３、防虫網４３の図示が省略してある。
【００３４】
次に、前記横軸５と軸受６を詳細に説明する。
前記縦枠１２の室外側寄り下部分１２ａ、例えば縦アタッチメント１３の面内方向の内側部には、図４、図５に示すように、面内方向の内側に開口した横軸ガイド凹部７を長手方向に連続して有し、左右の横軸ガイド凹部７は相対向している。
この横軸ガイド凹部７の上下方向の中間部は、連通部８によって室内側方に開口している。この連通部８は前記横軸５が挿通する大きさである。
前記連通部５の開口縁と連続して横軸ガイド面９が上下方向に連続して有する。
この横軸ガイド面９は室内側方に向かう面で、前記横軸５が上下動可能に接する。
【００３５】
前記軸受６は縦アタッチメント１３に、前記横軸ガイド凹部７内に位置するようにそれぞれ取付けてある。
前記軸受６は、前記横軸５が上から下に向けて移動することで回転可能に嵌まり合う形状で、この軸受６は、前記連通部８よりも下方に位置している。
【００３６】
前記網戸４は次のようにして窓枠１に取付ける。
図５に仮想線で示すように、内障子３を上方に移動して開き位置とする。
前述したように、左右の網戸縦框４２に横軸５をそれぞれ取付けた網戸４を手で持ち、図７に示すように、その網戸４を斜めの姿勢とし、その網戸４の上部を窓枠１の室内側から前記内障子３の下框３１と下枠１１との間より窓枠１内に挿入し、その左右の横軸５を図７及び図５に仮想線で示すように左右の横軸ガイド面９にそれぞれ接し、例えば、網戸４を上方に移動して横軸５を横軸ガイド面９に沿って矢印ａで示すように上方に向けて摺動することで、その横軸５を連通部８から矢印ｂで示すように横軸ガイド凹部７内に挿入する。この際、横軸５を横軸ガイド面９に沿って上方に摺動することで、その横軸５を連通部８から横軸ガイド凹部７内に挿入するようにしたが、これに限らず、横軸５を横軸ガイド面９に沿って下方に向けて摺動することで、その横軸５を連通部８から横軸ガイド凹部７内に挿入するようにしても良い。
この状態で網戸４を下方に移動して横軸５を横軸ガイド凹部７に沿って矢印ｃで示すように下方に移動し、横軸５を軸受６に回転可能に嵌め込むことで、網戸４を窓枠１に、横軸５を支点として回転可能に取付けできる。
【００３７】
このように、横軸５と軸受６の位置合わせが不要で、横軸５を横軸ガイド面９、横軸ガイド凹部７に沿って上下に移動すれば良いので、網戸４を窓枠１に、横軸５を支点として回転可能に取付ける作業が簡単で、短時間に取付けできる。
【００３８】
次に、各部を詳細に説明する。
前記横軸５は、図８、図９に示すように、取付部５０と、この取付部５０に面内方向に向けて水平に設けた小径軸部５１と、この小径軸部５１の先端部に設けた大径軸部５２を有している。
前記取付部５０が網戸縦框４２の室内外側方向の室内側面４２ａに固着具５３で固着して取付け、その小径軸部５１が網戸縦框４２の面内方向の外側面４２ｂよりも面内方向の外側に突出している。前記取付部５０は仮想線で示すようにカバー体５４で覆われている。なお、このカバー体５４を用いずに取付部５０を露出させても構わない。
【００３９】
前記縦アタッチメント１３の面外方向に向かう内側面１３ａに、第１内向板１３ｂと第２内向板１３ｃが面内方向の内側に向けて一体的に設けてあり、この第１内向板１３ｂと第２内向板１３ｃと前記内側面１３ａで前述の横軸ガイド凹部７を形成している。
前記内側面１３ａが横軸ガイド凹部７の底部７ｂで、前記第１・第２内向板１３ｂ，１３ｃの内端部分（面内方向の内側端部分）は鉤形に折曲して横軸ガイド凹部７はあり溝形状で、その開口部７ａの面外方向の寸法が底部寄り部の面外方向の寸法よりも小さい。
前記第１内向板１３ｂが室内側に位置し、その第１内向板１３ｂの室内側面が前述の横軸ガイド面９である。
前記第１内向板１３ｂの一部が切欠きされ、その切欠き部１３ｄが前述の連通部８である。
【００４０】
前記開口部７ａの面外方向の寸法は、前記横軸５の小径軸部５１の径よりも大きく、大径軸部５２の径よりも小さく、その大径軸部５２が横軸ガイド凹部７内に位置し、小径軸部５１が開口部７ａから突出し、かつ開口部７ａに沿って長手方向に移動可能で、前記大径軸部５２は開口部７ａから面内方向に抜け出ることがない。
したがって、横軸３を横軸ガイド凹部４に沿って移動するときに横軸３が横軸ガイド凹部４から外れることがない。
前記切欠き部１３ｄ（連通部８）の上下寸法は、前記大径軸部５２の径よりも大きく、その大径軸部５２は連通部８から横軸ガイド凹部９内に入り込むことができる。
このようであるから、横軸５を横軸ガイド面９に沿って上方に摺動することで連通部８から横軸ガイド凹部７内に入り込むことができる。
【００４１】
前記軸受６は、図８、図９に示すように、取付部６０と支承部６１を備え、その取付部６０が縦アタッチメント１３の内側面１３ａ（横軸ガイド凹部７の底部７ｂ）に固着具６２で固着して取付けてある。
前記支承部６１は、取付部６０の上面と連続した上向きの一対の支承片６３を有し、この支承片６３は離隔する方向に弾性変形可能で、ほぼＣ字形状で、一対の支承片６３と取付部６０の上面とで上部が開口した円形部６４を形成している。
前記一対の支承片６３の上部は離隔し、その一対の支承片６３の上部間に横軸５の大径軸部５２が押し込められることで一対の支承片６３が離隔する方向に弾性変形（拡開変形）する。
前記円形部６４に横軸５の大径軸部５２が回転可能で、上下に動かないように嵌まり合う。
なお、支承部６１の上部の開口は、垂直方向に上方に開口する形態に限らず、斜め上方に向けて開口する構成であっても良い。また、一対の支承片６３の上端からさらに上方に向けてガイド片を設け、このガイド片で横軸５の大径軸部５２を一対の支承片６３間に案内する構成であっても良い。
【００４２】
このようであるから、図８に２点鎖線で示すように、横軸５の大径軸部５２が横軸ガイド面９に沿って移動することで、その大径軸部５２が連通部８から横軸ガイド凹部７内に入り込む。
その状態で横軸５を横軸ガイド凹部７に沿って下方に移動することで、大径軸部５２が一対の支承片６３を拡開変形し、円形部６４内に入り込み、取付部６０の上面で位置決めされると共に、一対の支承片６３が弾性復元し、大径軸部５２を回転可能で、かつ上下に動くことがないように支承する。
【００４３】
前述のようであるから、網戸４が左右の横軸５を支点として回転可能に窓枠１に取付けられる。
しかも、前述のように網戸４を回転するときに横軸５が軸受６に対して上下に動くことがないので、網戸４をスムーズに回転できる。
また、横軸ガイド凹部７及び横軸５は金属で形成され、軸受６（支承部６１）は樹脂で形成されている。例えば、縦アタッチメント１３を金属で形成してある。
このようであるから、弾性変形可能な支承片６３（支承部６１）を容易に形成することができる。また、万が一支承片６３（支持部６１）が破損したとしても、金属製の横軸５が金属製の横軸ガイド凹部７で支持されるため、網戸４が窓枠１から脱落することがない。
【００４４】
前記網戸縦框４２の室内側面４２ａに横軸５が取付けられ、その横軸５は前記室内側面４２ａよりも室内側方に位置し、その横軸５が網戸縦框４２の面内方向の外側面４２ｂと対向することがないので、前記横軸ガイド凹部７を縦アタッチメント１３における縦框４２と対向した部分よりも室内側方にずれた部分に形成することができる。
したがって、網戸縦框４２の面外方向に向かう外側面４２ｂの全面を縦アタッチメント１３と網戸縦框４２との間のシールとして有効利用でき、横軸５、縦軸ガイド凹部７を設けたにもかかわらず縦アタッチメント１３と網戸縦框４２との間を確実にシールできる。
例えば、縦アタッチメント１３に縦シール材１５取付け、その縦シール材１５を、網戸縦框４２の面外方向に向かう外側面４２ｂに接してシールする。
しかも、横軸５を取付けるために網戸縦框４２の見込み寸法（室内外側方向の寸法）を必要以上に大きくすることがない。
さらに回転機構部（横軸５、軸受６）が、各シール材１５，４４，４５よりも室内側に位置しているため、網戸４が閉じた状態において、この横軸５及び軸受６が雨水や砂埃等にさらされる恐れがない。このようであるから、横軸５及び軸受６の故障が起こり難くなっている。
【００４５】
前記網戸４には、その網戸４を閉じ状態でロックするロック手段７０が取付けてある。
例えば、図５と図６に示すように、網戸下框４１にロック片７１を有したハンドル７２を回転自在に取付け、そのロック片７１を下アタッチメント１４のロック面１４ｂに接することで網戸４を閉じた状態でロックし、ロック片７１をロック面１４ｂから離脱することでロック解除する。
【００４６】
前述の実施の形態では、軸受６を樹脂製としたが、軸受６の取付部６０と支承部６１を別体で形成し、取付部６０を金属製とし支承部６１を樹脂製としても良い。なお、軸受６の全てを金属で構成しても良い。
また、横軸ガイド凹部７及び横軸５を金属製としたが、一部分に樹脂を設けても良い。なお、横軸ガイド凹部７及び横軸５の全てを金属以外の剛性体で構成しても良い。
【符号の説明】
【００４７】
１…窓枠、２…外障子、３…内障子、４…網戸、５…横軸、６…軸受、７…横軸ガイド凹部、８…連通部、９…横軸ガイド面、１１…下枠、１２…縦枠、１２ａ…室外側寄り下部分、１３…縦アタッチメント、２１…縦枠（下横部）、３１…下框（下横部）、４０…網戸上框（網戸上部）、４１…網戸下框（下横部）、４２…網戸縦框（縦部）、５０…取付部、５１…小径軸部、５１…大径軸部、６０…取付部、６１…支承部、６３…支承片、６４…円形部。
【図１】
2010209539.tif 000003
【図２】
2010209539.tif 000004
【図３】
2010209539.tif 000005
【図４】
2010209539.tif 000006
【図５】
2010209539.tif 000007
【図６】
2010209539.tif 000008
【図７】
2010209539.tif 000009
【図８】
2010209539.tif 000010
【図９】
2010209539.tif 000011